(57)【要約】【課題】本願発明の課題は、受け取った者が興味を引き、破棄されにくい名刺、および、その名刺用原紙、ならびに、その作成方法を提供することにある。【解決手段】本願発明に係る名刺は、名刺本体１の表面１ａに氏名等の個人情報Ａが印刷された名刺であって、名刺本体１は、個人情報Ａの印刷部分と別に、当たり等のくじが印刷されたくじ部分を有し、該くじ部分は、スクラッチ層３によって隠蔽されている点にあり、特に、くじ部分およびスクラッチ層３が、名刺本体１の裏面１ｂに設けられていることが好ましい。【選択図】図１
2004306532.tif 000002
【特許請求の範囲】
【請求項１】
名刺本体（１）の表面（１ａ）に氏名等の個人情報（Ａ）が印刷された名刺であって、
名刺本体（１）は、個人情報（Ａ）の印刷部分と別に、当たり等のくじが印刷されたくじ部分を有し、
該くじ部分は、スクラッチ層（３）によって隠蔽されていることを特徴とする名刺。
【請求項２】
請求項１記載の名刺であって、
前記くじ部分およびスクラッチ層（３）は、名刺本体（１）の裏面（１ｂ）に設けられていることを特徴とする名刺。
【請求項３】
名刺用原紙本体（Ｓ２）の表面に氏名等の個人情報（Ａ）が印刷される部分を有する名刺用原紙であって、
名刺用原紙本体（Ｓ２）は、個人情報（Ａ）の印刷部分と別に、当たり等のくじが印刷されたくじ部分を有し、
該くじ部分は、スクラッチ層（３）によって隠蔽されていることを特徴とする名刺用原紙。
【請求項４】
請求項３記載の名刺用原紙であって、
前記くじ部分およびスクラッチ層（３）は、名刺用原紙本体（Ｓ２）の裏面に設けられていることを特徴とする名刺用原紙。
【請求項５】
請求項３または４記載の名刺用原紙であって、
前記名刺用原紙本体（Ｓ２）は、個人の所属する団体名等の団体情報（Ｂ）が印刷されていることを特徴とする名刺用原紙。
【請求項６】
名刺本体（１）の表面（１ａ）に氏名等の個人情報（Ａ）を印刷して名刺を作成する方法であって、
個人情報（Ａ）の印刷部分とは別の箇所に、当たり等のくじを印刷するとともに、該くじ部分を隠蔽するようにスクラッチ層（３）を形成することを特徴とする名刺の作成方法。
【請求項７】
請求項６記載の名刺の作成方法であって、
前記名刺本体（１）の裏面側に、前記くじ部分およびスクラッチ層（３）を設けることを特徴とする名刺の作成方法。
【請求項８】
請求項６または７記載の名刺の作成方法であって、
名刺本体（１）に、くじを印刷する手順、および、くじ部分を隠蔽するようにスクラッチ層（３）を形成する手順を経て、複数枚の名刺用原紙（Ｓ２）を用意し、
この名刺用原紙（Ｓ２）に、氏名等の個人情報（Ａ）を印刷して、名刺を作成することを特徴とする名刺の作成方法。
【請求項９】
請求項８記載の名刺の作成方法であって、
個人の所属する団体名等の団体情報（Ｂ）の印刷する手順を経て、前記名刺用原紙を用意することを特徴とする名刺の作成方法。
【発明の詳細な説明】
【０００１】
【発明の属する技術分野】
本願発明は、名刺、名刺用原紙および、名刺の作成方法に関する発明である。
【０００２】
【従来の技術】
従来より、名刺は、個人が所属する団体の名称、住所、電話番号などの団体情報と、その個人の役職や氏名などの個人情報が併記されているものが公知である。そして、仕事上などで知り合った人間同士で、名刺交換を行うことにより、連絡先などの情報交換を行い得るものであった。
【０００３】
また、単に氏名などの情報のみでは記憶されにくいため、顔写真を印刷し、受け取った者に対して印象を残すようにした名刺も存在する。
【０００４】
【発明が解決しようとする課題】
しかるに、従来の名刺にあっては、名刺を受け取った者が、その名刺の個人との関係を維持する必要性の低い場合、保管されず破棄されることもあり、具体的には、たとえば会社の営業担当者から顧客が受け取った名刺などにあっては、受け取った者は、その販売する商品などの興味によって、その名刺を破棄してしまい、保管しない場合も存在した。
【０００５】
上記問題に鑑み、本発明者らは鋭意検討した結果、従来の名刺は、情報伝達のみを目的としており、受け取った者に何ら興味を引く要素がないことに着目した。
【０００６】
そこで、本願発明の課題は、受け取った者が興味を引き、破棄されにくい名刺、および、その名刺用原紙、ならびに、その作成方法を提供することにある。
【０００７】
【課題を解決するための手段】
本願発明に係る名刺としての特徴は、名刺本体１の表面１ａに氏名等の個人情報Ａが印刷された名刺であって、名刺本体１は、個人情報Ａの印刷部分と別に、当たり等のくじが印刷されたくじ部分を有し、該くじ部分は、スクラッチ層３によって隠蔽されている点にある。
【０００８】
上記構成からなる名刺にあっては、くじ部分はスクラッチ層３によって隠蔽されているものの、名刺を受け取った者がスクラッチ層３をとによって、くじ部分が視認でき、くじの結果を知ることができる。このため、名刺を受け取った者に対して、名刺自体により興味を引くことができ、名刺が破棄されにくい。
【０００９】
なお、本願発明において「印刷」とは、印刷機による印刷のほか、たとえばパーソナルコンピュータに接続されるプリンター等による印刷も含まれる概念である。
【００１０】
また、本願発明に係る名刺用原紙としての特徴は、名刺用原紙本体Ｓ２の表面に氏名等の個人情報Ａが印刷される部分を有する名刺用原紙であって、名刺用原紙本体Ｓ２は、個人情報Ａの印刷部分と別に、当たり等のくじが印刷されたくじ部分を有し、該くじ部分は、スクラッチ層３によって隠蔽されている点にある。
【００１１】
上記構成からなる名刺用原紙にあっては、名刺用原紙本体Ｓ２の表面に個人情報Ａを印刷することにより、上述した本願発明に係る名刺を得ることができる。特に、くじ部分およびスクラッチ層３が予め形成されているため、必要に応じて個人情報Ａを印刷することによって名刺を作成することができ、必要な時に、短期間に名刺を完成させることができる。
【００１２】
また、本願発明に係る名刺の作成方法としての特徴は、名刺本体１の表面１ａに氏名等の個人情報Ａを印刷して名刺を作成する方法であって、個人情報Ａの印刷部分とは別の箇所に、当たり等のくじを印刷するとともに、該くじ部分を隠蔽するようにスクラッチ層３を形成する点にある。
【００１３】
上記構成からなる名刺の作成方法により作成された名刺は、名刺本体１が、当たり等のくじが印刷されるとともにスクラッチ層３によって隠蔽されたくじ部分を有するため、本願発明に係る名刺と同様の利点を奏することができる。
【００１４】
また、上記本願発明にあっては、くじ部分を表面１ａに設けることも可能であるが、請求項２、４または７記載のように、くじ部分およびスクラッチ層３が、名刺本体１の裏面１ｂに設けられていることが好ましい。つまり、くじ部分を、個人情報Ａの印刷部分が設けられた表面１ａに設ける場合に比して、裏面１ｂに設けることにより大きく設けることができる。
【００１５】
また、本願発明に係る名刺の作成方法は、請求項８記載のように、名刺本体１に、くじを印刷する手順、および、くじ部分を隠蔽するようにスクラッチ層３を形成する手順を経て、複数枚の名刺用原紙Ｓ２を用意し、この名刺用原紙Ｓ２に、氏名等の個人情報Ａを印刷して、名刺を作成する構成を採用することが好ましい。これにより、くじ部分およびスクラッチ層３が予め形成された名刺用原紙Ｓ２を複数枚用意しておき、必要に応じて個人情報Ａを印刷することによって名刺を作成することができ、必要な時に、短期間に名刺を完成させることができる。
【００１６】
また、上記請求項８記載の構成を採用した場合には、請求項９記載のように、個人の所属する団体名等の団体情報Ｂの印刷する手順を経て、前記名刺用原紙Ｓ２を用意する構成を採用することが好ましい。また、本願発明に係る名刺用原紙は、請求項５記載のように、名刺用原紙本体Ｓ２が、個人の所属する団体名等の団体情報Ｂが印刷されていることが好ましい。これにより、名刺用原紙Ｓ２は、同一団体内の各人の名刺に共用でき、また、個人情報Ａを印刷するに際して予め団体情報Ｂも印刷されているので、より短期間に名刺を完成することができる。
【００１７】
【発明の実施の形態】
以下、本願発明の実施形態について図面を参酌しつつ説明する。なお、図１は本願発明の実施形態に係る名刺の概略説明図であって、（イ）は名刺本体の表面側、（ロ）は名刺本体の裏面側を表す。図２は、同実施形態の名刺を説明するための要部拡大端面の概略説明図である。図３は、同実施形態の名刺の作成方法の工程を説明するための概略説明図である。図４は、同実施形態の名刺用原紙の表面側を表す概略説明図である。
【００１８】
まず、本実施形態の名刺について説明すると、紙からなる名刺本体１には、その表面１ａに、個人の役職や名称などの個人情報Ａと、その個人の所属する団体の団体名や住所などの団体情報Ｂとが印字（印刷）されている。
【００１９】
そして、該名刺本体１には、その裏面１ｂにも印刷が施されており、裏面１ｂの印刷の一部はスクラッチ層３によって隠蔽されている。つまり、裏面１ｂの印刷の一部には、「当たり」や「はずれ」などのくじが印刷されており、このくじ部分の上にスクラッチ層３が形成されることにより、くじ部分が隠蔽されている。なお、本実施形態においては、名刺本体１の裏面１ｂは、全面的に印刷が施されており、そのくじに相当する部分（くじ部分）にスクラッチ層３が印刷されている。なお、図２における符号５は裏面の印刷層（くじ部分および背景部分の印刷層）であり、符号７は表面の印刷層（団体情報および個人情報の印刷層）である。
【００２０】
なお、図示例では、くじ部分およびスクラッチ層３は三箇所に形成しているが、このくじ部分は適宜設計変更可能な事項である。また、くじ部分は、「当たり」などの文字以外に絵柄とすることも可能であり、さらには、くじの種類などによっては数字などを印刷することも可能である。
【００２１】
前記スクラッチ層３は、コインや爪などで引っ掻くことによって削ることができるものであり、名刺本体１はスクラッチ層３が削られることによりくじ部分が視認できるように設けられている。なお、該スクラッチ層３は、たとえばアルミニウムや銀インキ等で形成することができる。
【００２２】
次に、本実施形態の名刺の作成方法について説明する。
【００２３】
本実施形態の名刺作成方法は、概説すると、くじ部分およびスクラッチ層３並びに団体情報Ｂを印刷して名刺用原紙を作成する工程と、この名刺用原紙に個人情報Ａを印刷して名刺を完成する工程とからなる。
【００２４】
前記名刺用原紙を作成する工程においては、紙Ｓ１の表面に団体情報Ｂを印刷する手順、紙Ｓ１の裏面にくじ部分および背景部分（スクラッチ層３が設けられない部分）を印刷する手順、および、紙Ｓ１の裏面において上記印刷されたくじ部分にスクラッチ層３を印刷する手順を備えている。上記のような手順により作成された名刺用原紙Ｓ２は、その表面に、団体情報Ｂが印刷されるとともに、その裏面にくじ部分および背景部分ならびにスクラッチ層３が印刷されており、個人情報Ａを印刷する部分は空白となっている。
【００２５】
ここで、各種印刷が施される前記紙Ｓ１は、一枚で最終製品である名刺が複数枚作成できるものであり、具体的には、前記印刷が一枚の紙Ｓ１に複数組施されて、後述の切断手順により複数枚の名刺に切断される。また、前記各種の印刷は、併設された複数の印刷手段（印刷機１０）によって連続的に行うことが可能である。なお、各種の印刷の順序は、くじ部分の印刷の後にスクラッチ層３を印刷すること以外は、その前後を問わない。
【００２６】
前記名刺を完成する工程においては、前述のように作成された名刺用原紙Ｓ２の表面に氏名などの個人情報Ａを印刷する手順、および、この名刺用原紙Ｓ２を各名刺の大きさに切断する切断手順とを経て、複数枚の名刺を作成している。前記個人情報Ａの印刷は、名刺用原紙Ｓ２の表面に施されている。なお、前記個人情報Ａを印刷するに際しては、団体情報Ｂの一部の情報を印刷することも可能であり、たとえば住所や電話番号などはかかる手順で印刷することも可能である（図４参照）。
【００２７】
上述した実施形態の名刺にあっては、スクラッチ層３によって隠蔽されたくじ部分がスクラッチ層３を削ることによって視認できるようになり、くじの結果を知ることができる。これにより、名刺を受け取った者に対して、名刺自体により興味を引くことができる。
【００２８】
また、スクラッチ層３により隠蔽されたくじ部分と背景部分とが、名刺本体１の裏面１ｂに印刷されているため、くじ部分やその背景部分を大きく設けることができ、そのデザインの自由度が高く、より興味を引くデザインを採用することが可能となる。
【００２９】
また、くじ部分や団体情報Ｂなどが予め印刷された名刺用原紙Ｓ２を用意しておくことにより、必要な時に、必要な個人の個人情報Ａを印刷して、短期間に名刺を完成させることができる。
【００３０】
さらに、上記のようにくじ部分などの印刷が複数組なされた紙を、各名刺の大きさに切断する手順を有した作成方法を採用することにより、一度に複数枚の名刺の情報を印刷することができ、短期間で大量の名刺を印刷することが可能となる。なお、かかる切断手順は、個人情報Ａを印刷した後に行ったが、名刺用原紙を作成した後に行うことも可能である。
【００３１】
なお、上記実施形態は上記構成から上述の利点を有するものであったが、本願発明はこれに限定されるものではなく、本願発明の意図する範囲内で適宜設計変更可能である。
【００３２】
特に、上記説明において、各情報を印刷機１０によって印刷するものについて説明したが、本願発明はこれに限定されるものではなく、パーソナルコンピュータに接続されたプリンター等により印刷することも適宜設計変更可能な事項である。つまり、たとえば上記実施形態における団体情報、くじ部分、背景部分およびスクラッチ層を専用の印刷機によって印刷し、個人情報をプリンターで印刷することも本願発明の意図する範囲内である。
【００３３】
【発明の効果】
以上のように、本願発明によると、名刺本体はスクラッチ層に隠蔽されたくじ部分を有するため、名刺を受け取った者がくじの結果を知るべくスクラッチ層を削ることになり、このため、名刺自体により興味を引くことができ、名刺が破棄されにくいとともに名刺により相手により印象を与えやすいという利点を有する。
【図面の簡単な説明】
【図１】本願発明の実施形態に係る名刺の概略説明図であって、（イ）は名刺本体の表面側、（ロ）は名刺本体の裏面側を表す。
【図２】同実施形態の名刺を説明するための要部拡大端面の概略説明図である。
【図３】同実施形態の名刺の作成方法の工程を説明するための概略説明図である。
【図４】同実施形態に係る名刺用原紙の表面側の概略説明図である。
【符号の説明】
１    名刺本体
１ａ  表面
１ｂ  裏面
３    スクラッチ層
５    裏面印刷層
７    表面印刷層
１０    印刷機
Ｓ１  紙
Ｓ２  名刺用原紙
【図１】
2004306532.tif 000003
【図２】
2004306532.tif 000004
【図３】
2004306532.tif 000005
【図４】
2004306532.tif 000006